(57)【要約】【課題】液体噴射ヘッドにおいて、液体を循環させるための液室を設けることに起因した機械的な強度の低下を抑制する。【解決手段】ノズルが設けられたノズルプレートと、液体が供給される圧力室と、前記ノズルと前記圧力室とを連通させる連通路と、前記連通路に連通する循環液室とが設けられた流路形成部と、前記圧力室に圧力変化を発生させる圧力発生部とを具備し、前記循環液室における第１地点での高さは、前記第１地点からみて前記連通路側の第２地点での高さよりも大きい液体噴射ヘッド。【選択図】図１０
2018103601.tif 000002
【特許請求の範囲】
【請求項１】
ノズルが設けられたノズルプレートと、
液体が供給される圧力室と、前記ノズルと前記圧力室とを連通させる連通路と、前記連通路に連通する循環液室とが設けられた流路形成部と、
前記圧力室に圧力変化を発生させる圧力発生部とを具備し、
前記循環液室における第１地点での高さは、前記第１地点からみて前記連通路側の第２地点での高さよりも大きい
液体噴射ヘッド。
【請求項２】
前記循環液室は、平面視で前記圧力室に重ならない
請求項１の液体噴射ヘッド。
【請求項３】
前記循環液室の高さの最大値は、前記連通路の流路長よりも小さい
請求項１または請求項２の液体噴射ヘッド。
【請求項４】
前記流路形成部は、前記連通路と前記循環液室とが形成された第１流路基板と、前記圧力室が形成された第２流路基板とを含み、
前記循環液室の高さの最大値は、前記第１流路基板の厚さの半分以下である
請求項１または請求項２の液体噴射ヘッド。
【請求項５】
前記循環液室の高さの最大値は、前記循環液室の幅よりも小さい
請求項１から請求項４の何れかの液体噴射ヘッド。
【請求項６】
前記循環液室の高さは、当該高さが最大となる位置から幅方向の端部にかけて単調減少する
請求項１から請求項５の何れかの液体噴射ヘッド。
【請求項７】
前記循環液室の上面には、平面視で曲線状に延在する複数の溝部が形成される
請求項１から請求項６の何れかの液体噴射ヘッド。
【請求項８】
前記循環液室は、第１方向に長尺であり、
前記複数の溝部は、平面視で前記第１方向の第１側に凸である
請求項７の液体噴射ヘッド。
【請求項９】
前記ノズルプレートには、第１ノズルと第２ノズルとが前記ノズルとして設けられ、
前記流路形成部には、前記第１ノズルに対応する前記圧力室および前記連通路と、前記第２ノズルに対応する前記圧力室および前記連通路と、前記第１ノズルに対応する前記連通路と前記第２ノズルに対応する前記連通路との間に位置し第１方向に長尺な前記循環液室とが設けられ、
前記循環液室の上面のうち前記第１ノズル側の領域に形成された前記溝部は、平面視で前記第１方向の第１側に凸であり、前記第２ノズル側の領域に形成された前記溝部は、平面視で前記第１側とは反対の第２側に凸である
請求項７の液体噴射ヘッド。
【請求項１０】
前記ノズルプレートには、第１ノズルと第２ノズルとが前記ノズルとして設けられ、
前記流路形成部には、前記第１ノズルに対応する前記圧力室および前記連通路と、前記第２ノズルに対応する前記圧力室および前記連通路と、前記第１ノズルに対応する前記連通路と前記第２ノズルに対応する前記連通路との間に位置し第１方向に長尺な前記循環液室とが設けられ、
前記循環液室の上面のうち前記第１ノズル側の領域に形成された前記溝部と、前記第２ノズル側の領域に形成された前記溝部とは、平面視で前記第１方向の第１側に凸である
請求項７の液体噴射ヘッド。
【請求項１１】
前記ノズルプレートには、前記第１方向に配列する複数のノズルが設けられ、
前記流路形成部には、前記複数のノズルの各々に対応する前記圧力室および前記連通路と、前記第１方向に長尺な前記循環液室とが設けられ、
前記複数の溝部のうち前記第１方向の第１側に位置する溝部は、平面視で前記第１側とは反対の第２側に凸であり、前記複数の溝部のうち前記第１方向における前記第２側の溝部は、平面視で前記第１側に凸である
請求項７の液体噴射ヘッド。
【請求項１２】
前記流路形成部には、前記連通路を挟んで相互に反対側に位置し、当該連通路に連通する第１循環液室および第２循環液室が前記循環液室として設けられる
請求項１から請求項１１の何れかの液体噴射ヘッド。
【請求項１３】
前記第１循環液室は平面視で前記圧力室に重ならず、前記第２循環液室は平面視で前記圧力室に重なる
請求項１２の液体噴射ヘッド。
【請求項１４】
前記第１循環液室の高さと前記第２循環液室の高さとは同等である
請求項１３の液体噴射ヘッド。
【請求項１５】
前記第１循環液室の高さは、前記第２循環液室の高さよりも大きい
請求項１３の液体噴射ヘッド。
【請求項１６】
前記第１循環液室の高さは、前記第２循環液室の高さよりも小さい
請求項１３の液体噴射ヘッド。
【請求項１７】
前記第１循環液室の幅は、前記第２循環液室の幅よりも大きい
請求項１３の液体噴射ヘッド。
【請求項１８】
前記第１循環液室の幅は、前記第２循環液室の幅よりも小さい
請求項１３の液体噴射ヘッド。
【請求項１９】
前記流路形成部には、前記圧力室に供給される液体を貯留する供給液室が設けられ、
前記循環液室の高さの最大値は、前記供給液室の高さと等しい
請求項１から請求項１８の何れかの液体噴射ヘッド。
【請求項２０】
前記循環液室と前記連通路との間には所定の厚さの隔壁部がある
請求項１から請求項１９の何れかの液体噴射ヘッド。
【請求項２１】
前記循環液室は、第１空間と、前記第１空間からみて前記連通路側において相互に対向する流路壁の間に形成された第２空間とを含み、
前記第１地点は、前記第１空間内に位置し、
前記第２地点は、前記第２空間内に位置する
請求項１から請求項２０の何れかの液体噴射ヘッド。
【請求項２２】
前記流路形成部を挟んで前記ノズルプレートとは反対側に端部が設置された配線基板を具備し、
前記循環液室は、前記配線基板の前記端部に平面視で重なる
請求項１から請求項２１の何れかの液体噴射ヘッド。
【請求項２３】
請求項１から請求項２２の何れかの液体噴射ヘッドを具備する液体噴射装置。
【発明の詳細な説明】
【技術分野】
【０００１】
本発明は、インク等の液体を噴射する技術に関する。
【背景技術】
【０００２】
インク等の液体を複数のノズルから噴射する液体噴射ヘッドが従来から提案されている。例えば特許文献１には、連通板の一方側の表面に流路形成基板を設置し、他方側の表面にノズルプレートを設置した積層構造の液体噴射ヘッドが開示されている。流路形成基板には、共通液体室（リザーバー）から供給される液体が充填される圧力発生室が形成され、ノズルプレートにはノズルが形成される。連通板に形成された連通路を介して圧力発生室とノズルとが相互に連通する。連通板のうちノズルプレートが設置される表面には、共通液体室に連通する循環流路と、連通路と循環流路とを相互に連通させる溝状の循環連通路とが形成される。以上の構成によれば、循環連通路と循環流路とを介して連通路の内部の液体を共通液体室に循環させることが可能である。
【先行技術文献】
【特許文献】
【０００３】
【特許文献１】特開２０１２−１４３９４８号公報
【発明の概要】
【発明が解決しようとする課題】
【０００４】
特許文献１の技術では、連通板に循環連通路が形成されるから、連通板の機械的な強度を充分に確保することが困難である。以上の事情を考慮して、本発明の好適な態様は、液体を循環させるための液室を設けることに起因した機械的な強度の低下を抑制することをひとつの目的とする。
【課題を解決するための手段】
【０００５】
＜態様Ａ１＞
以上の課題を解決するために、本発明の好適な態様（態様Ａ１）に係る液体噴射ヘッドは、ノズルが設けられたノズルプレートと、液体が供給される圧力室と、前記ノズルと前記圧力室とを連通させる連通路と、前記連通路に連通する循環液室とが設けられた流路形成部と、前記圧力室に圧力変化を発生させる圧力発生部とを具備し、前記循環液室における第１地点での高さは、前記第１地点からみて前記連通路側の第２地点での高さよりも大きい。以上の態様では、循環液室における第１地点での高さが、第１地点からみて連通路側の第２地点での高さよりも大きいから、循環液室の全体にわたり第１地点での高さである構成と比較して、流路形成部の機械的な強度の低下を抑制することが可能である。
＜態様Ａ２＞
態様Ａ１の好適例（態様Ａ２）において、前記循環液室は、平面視で前記圧力室に重ならない。以上の態様では、循環液室が平面視で圧力室に重ならないから、循環液室が圧力室に重なる構成と比較して流路形成部の機械的な強度の低下を抑制することが可能である。
＜態様Ａ３＞
態様Ａ１または態様Ａ２の好適例（態様Ａ３）において、前記循環液室の高さの最大値は、前記連通路の流路長よりも小さい。以上の態様では、循環液室の高さの最大値が連通路の流路長よりも小さい。したがって、循環液室の高さの最大値が連通路の流路長と同等以上である構成と比較して流路形成部の機械的な強度の低下を抑制することが可能である。
＜態様Ａ４＞
態様Ａ１または態様Ａ２の好適例（態様Ａ４）において、前記流路形成部は、前記連通路と前記循環液室とが形成された第１流路基板と、前記圧力室が形成された第２流路基板とを含み、前記循環液室の高さの最大値は、前記第１流路基板の厚さの半分以下である。以上の態様では、循環液室の高さの最大値が第１流路基板の厚さの半分以下である。したがって、循環液室の高さの最大値が第１流路基板の厚さの半分よりも大きい構成と比較して、流路形成部の機械的な強度の低下を抑制することが可能である。
＜態様Ａ５＞
態様Ａ１から態様Ａ４の何れかの好適例（態様Ａ５）において、前記循環液室の高さの最大値は、前記循環液室の幅よりも小さい。以上の態様では、循環液室の高さの最大値が循環液室の幅よりも小さい。したがって、循環液室の高さの最大値が幅よりも大きい構成と比較して、流路形成部の機械的な強度の低下を抑制することが可能である。
＜態様Ａ６＞
態様Ａ１から態様Ａ５の何れかの好適例（態様Ａ６）において、前記循環液室の高さは、当該高さが最大となる位置から幅方向の端部にかけて単調減少する。以上の態様では、循環液室の高さが最大となる位置から幅方向の端部にかけて高さが単調減少するから、流路形成部の機械的な強度の低下を抑制することが可能である。
＜態様Ａ７＞
態様Ａ１から態様Ａ６の何れかの好適例（態様Ａ７）において、前記循環液室の上面には、平面視で曲線状に延在する複数の溝部が形成される。以上の態様では、循環液室の上面に曲線状の複数の溝部が形成されるから、循環液室内で液体が流動する方向を複数の溝部により調整することが可能である。
＜態様Ａ８＞
態様Ａ７の好適例（態様Ａ８）において、前記循環液室は、第１方向に長尺であり、前記複数の溝部は、平面視で前記第１方向の第１側に凸である。以上の態様では、循環液室の長手方向である第１方向の第１側に凸となるように複数の溝部が形成される。したがって、循環液室に流入した液体を、第１側とは反対の第２側に流動し易くすることが可能である。
＜態様Ａ９＞
態様Ａ７の好適例（態様Ａ９）において、前記ノズルプレートには、第１ノズルと第２ノズルとが前記ノズルとして設けられ、前記流路形成部には、前記第１ノズルに対応する前記圧力室および前記連通路と、前記第２ノズルに対応する前記圧力室および前記連通路と、前記第１ノズルに対応する前記連通路と前記第２ノズルに対応する前記連通路との間に位置し第１方向に長尺な前記循環液室とが設けられ、前記循環液室の上面のうち前記第１ノズル側の領域に形成された前記溝部は、平面視で前記第１方向の第１側に凸であり、前記第２ノズル側の領域に形成された前記溝部は、平面視で前記第１側とは反対の第２側に凸である。以上の態様では、第１ノズルに対応する連通路から循環液室に流入した液体を第１方向の第２側に流動させ易く、第２ノズルに対応する連通路から循環液室に流入した液体を第１方向の第１側に流動させ易いという利点がある。
＜態様Ａ１０＞
態様Ａ７の好適例（態様Ａ１０）において、前記ノズルプレートには、第１ノズルと第２ノズルとが前記ノズルとして設けられ、前記流路形成部には、前記第１ノズルに対応する前記圧力室および前記連通路と、前記第２ノズルに対応する前記圧力室および前記連通路と、前記第１ノズルに対応する前記連通路と前記第２ノズルに対応する前記連通路との間に位置し第１方向に長尺な前記循環液室とが設けられ、前記循環液室の上面のうち前記第１ノズル側の領域に形成された前記溝部と、前記第２ノズル側の領域に形成された前記溝部とは、平面視で前記第１方向の第１側に凸である。以上の態様では、第１ノズルに対応する連通路から循環液室に流入した液体と第２ノズルに対応する連通路から循環液室に流入した液体との双方を、第１側とは反対の第２側に流動させ易いという利点がある。
＜態様Ａ１１＞
態様Ａ７の好適例（態様Ａ１１）において、前記ノズルプレートには、前記第１方向に配列する複数のノズルが設けられ、前記流路形成部には、前記複数のノズルの各々に対応する前記圧力室および前記連通路と、前記第１方向に長尺な前記循環液室とが設けられ、前記複数の溝部のうち前記第１方向の第１側に位置する溝部は、平面視で前記第１側とは反対の第２側に凸であり、前記複数の溝部のうち前記第１方向における前記第２側の溝部は、平面視で前記第１側に凸である。以上の態様では、第１方向の第１側に位置するノズルから循環液室に流入した液体を第１側に流動させ易く、第１方向の第２側に位置するノズルから循環液室に流入した液体を第２側に流動させ易いという利点がある。
＜態様Ａ１２＞
態様Ａ１から態様Ａ１１の何れかの好適例（態様Ａ１２）において、前記流路形成部には、前記連通路を挟んで相互に反対側に位置し、当該連通路に連通する第１循環液室および第２循環液室が前記循環液室として設けられる。以上の態様では、連通路を挟んで相互に反対側に第１循環液室と第２循環液室とが設けられるから、第１循環液室および第２循環液室の一方のみを設けた構成と比較して、液体の循環量を多くすることが可能である。
＜態様Ａ１３＞
態様Ａ１２の好適例（態様Ａ１３）において、前記第１循環液室は平面視で前記圧力室に重ならず、前記第２循環液室は平面視で前記圧力室に重なる。以上の態様では、第１循環液室が圧力室に重ならず、第２循環液室が圧力室に重なるから、第１循環液室および第２循環液室の双方が圧力室に重なる構成と比較して、圧力室の機械的な強度を維持し易いという利点がある。
＜態様Ａ１４＞
態様Ａ１３の好適例（態様Ａ１４）において、前記第１循環液室の高さと前記第２循環液室の高さとは同等である。以上の態様によれば、第１循環液室と第２循環液室とを形成する工程が簡素化されるという利点がある。
＜態様Ａ１５＞
態様Ａ１３の好適例（態様Ａ１５）において、前記第１循環液室の高さは、前記第２循環液室の高さよりも大きい。以上の態様によれば、圧力室の機械的な強度を維持し易いという利点がある。
＜態様Ａ１６＞
態様Ａ１３の好適例（態様Ａ１６）において、前記第１循環液室の高さは、前記第２循環液室の高さよりも小さい。以上の態様によれば、流路形成部の機械的な強度を維持し易いという利点がある。
＜態様Ａ１７＞
態様Ａ１３の好適例（態様Ａ１７）において、前記第１循環液室の幅は、前記第２循環液室の幅よりも大きい。
＜態様Ａ１８＞
態様Ａ１３の好適例（態様Ａ１８）において、前記第１循環液室の幅は、前記第２循環液室の幅よりも小さい。
＜態様Ａ１９＞
態様Ａ１から態様Ａ１８の何れかの好適例（態様Ａ１９）において、前記流路形成部には、前記圧力室に供給される液体を貯留する供給液室が設けられ、前記循環液室の高さの最大値は、前記供給液室の高さと等しい。以上の態様によれば、循環液室の高さと供給液室の高さと同等であるから、循環液室と供給液室とを形成する工程が簡素化されるという利点がある。
＜態様Ａ２０＞
態様Ａ１から態様Ａ１９の何れかの好適例（態様Ａ２０）において、前記循環液室と前記連通路との間には所定の厚さの隔壁部がある。以上の態様では、循環液室と連通路との間に所定の厚さの隔壁部があるから、循環液室の機械的な強度を維持し易いという利点がある。
＜態様Ａ２１＞
態様Ａ１から態様Ａ２０の何れかの好適例（態様Ａ２１）において、前記循環液室は、第１空間と、前記第１空間からみて前記連通路側において相互に対向する流路壁の間に形成された第２空間とを含み、前記第１地点は、前記第１空間内に位置し、前記第２地点は、前記第２空間内に位置する。以上の態様では、循環液室の第２空間が流路壁の間に形成されるから、流路壁が形成されない構成と比較して流路形成部の機械的な強度を維持し易いという利点がある。
＜態様Ａ２２＞
態様Ａ１から態様Ａ２１の何れかの好適例（態様Ａ２２）において、前記流路形成部を挟んで前記ノズルプレートとは反対側に端部が設置された配線基板を具備し、前記循環液室は、前記配線基板の前記端部に平面視で重なる。以上の態様では、配線基板の実装時に配信基板から流路形成部に外力が作用し易い。したがって、流路形成部の機械的な強度の低下を抑制できる以上の態様は格別に好適である。
＜態様Ａ２３＞
本発明の好適な態様（態様Ａ２３）に係る液体噴射装置は、以上に例示した何れかの態様に係る液体噴射ヘッドを具備する。液体噴射装置の好例は、インクを噴射する印刷装置であるが、本発明に係る液体噴射装置の用途は印刷に限定されない。
【０００６】
ところで、特許文献１の技術では、連通板のうちノズルプレートが接合される表面に循環連通路が形成される。以上の構成では、ノズルの近傍に位置する液体を循環流路に対して効率的に循環させることは実際には困難である。以上の事情を考慮して、本発明の好適な態様は、ノズルの近傍の液体を効率的に循環させることをひとつの目的とする。
＜態様Ｂ１＞
以上の課題を解決するために、本発明の好適な態様（態様Ｂ１）に係る液体噴射ヘッドは、第１ノズルおよび第２ノズルが設けられたノズルプレートと、液体が供給される第１圧力室および第２圧力室と、前記第１ノズルと前記第１圧力室とを連通させる第１連通路と、前記第２ノズルと前記第２圧力室とを連通させる第２連通路と、前記第１連通路と前記第２連通路との間に位置する循環液室とが設けられた流路形成部と、前記第１圧力室および前記第２圧力室の各々に圧力変化を発生させる圧力発生部とを具備し、前記ノズルプレートには、前記第１連通路と前記循環液室とを連通させる第１循環路、および、前記第２連通路と前記循環液室とを連通させる第２循環路が設けられる。以上の態様によれば、第１連通路と循環液室とを連通させる第１循環路がノズルプレートに形成されるから、循環連通路が連通板に形成される特許文献１の構成と比較して、ノズルの近傍の液体を効率的に循環液室に供給することが可能である。また、第１連通路と第２連通路との間に位置する循環液室に第１循環路と第２循環路とが共通に連通するから、第１循環路が連通する循環液室と第２循環路が連通する循環液室とを別個に設ける構成と比較して、液体噴射ヘッドの構成が簡素化されるという利点もある。なお、以下の説明では、第１連通路を流通する液体のうち第１循環路を介して循環液室に流入する液体の量を「循環量」と表記し、第１連通路を流通する液体のうち第１ノズルを介して噴射される液体の量を「噴射量」と表記する。
＜態様Ｂ２＞
態様Ｂ１の好適例（態様Ｂ２）において、前記第１ノズルは、第１区間と、前記第１区間よりも大径であり当該第１区間からみて前記流路形成部側に位置する第２区間とを含む。以上の態様では、内径が異なる第１区間と第２区間とを第１ノズルが含むから、第１ノズルの流路抵抗を所望の特性に設定し易いという利点がある。
＜態様Ｂ３＞
態様Ｂ２の好適例（態様Ｂ３）において、前記第１循環路は、前記第２区間と同一の深さである。以上の態様では、第１循環路と第１ノズルの第２区間とが同一の深さであるから、第１循環路と第２区間とで深さが異なる構成と比較して、第１循環路および第２区間を形成し易いという利点がある。
＜態様Ｂ４＞
態様Ｂ２の好適例（態様Ｂ４）において、前記第１循環路は、前記第２区間よりも深い。以上の態様では、第１循環路が第１ノズルの第２区間よりも深いから、第１循環路が第２区間よりも浅い構成と比較して第１循環路の流路抵抗が小さい。したがって、第１循環路が第２区間よりも浅い構成と比較して循環量を多くすることが可能である。
＜態様Ｂ５＞
態様Ｂ２の好適例（態様Ｂ５）において、前記第１循環路は、前記第２区間よりも浅い。以上の態様では、第１循環路が第１ノズルの第２区間よりも浅いから、第１循環路が第２区間よりも深い構成と比較して第１循環路の流路抵抗が大きい。したがって、第１循環路が第２区間よりも深い構成と比較して噴射量を多くすることが可能である。
＜態様Ｂ６＞
態様Ｂ２から態様Ｂ５の何れかの好適例（態様Ｂ６）において、前記第２区間は、前記第１循環路に連続する。以上の態様では、第１ノズルの第２区間と第１循環路とが連続する。したがって、ノズルの近傍の液体を効率的に循環液室に循環させることができるという前述の効果は格別に顕著である。
＜態様Ｂ７＞
態様Ｂ１から態様Ｂ５の何れかの好適例（態様Ｂ７）において、前記第１ノズルと前記第１循環路とは、前記ノズルプレートの面内において相互に離間する。以上の態様では、第１ノズルと第１循環路とが相互に離間する。したがって、循環量の確保と噴射量の確保との両立が容易であるという利点がある。
＜態様Ｂ８＞
態様Ｂ７の好適例（態様Ｂ８）において、前記第１循環路のうち前記循環液室に重なる部分の流路長Ｌaと、前記第１循環路のうち前記第１連通路に重なる部分の流路長Ｌbとは、Ｌa＞Ｌbを満たす。以上の態様によれば、第１連通路内の液体が第１循環路を介して循環液室に供給され易いという利点がある。
＜態様Ｂ９＞
態様Ｂ８の好適例（態様Ｂ９）において、前記第１循環路のうち、前記流路形成部における前記第１連通路と前記循環液室との間の隔壁部に重なる部分の流路長Ｌcは、Ｌa＞Ｌb＞Ｌcを満たす。以上の態様によれば、第１連通路内の液体が第１循環路を介して循環液室に供給され易いという利点がある。
＜態様Ｂ１０＞
態様Ｂ６または態様Ｂ７の好適例（態様Ｂ１０）において、前記第１循環路のうち前記循環液室に重なる部分の流路長Ｌaと、前記第１循環路のうち、前記流路形成部における前記第１連通路と前記循環液室との間の隔壁部に重なる部分の流路長Ｌcとは、Ｌa＞Ｌcを満たす。以上の態様によれば、第１連通路内の液体が第１循環路を介して循環液室に供給され易いという利点がある。
＜態様Ｂ１１＞
態様Ｂ１から態様Ｂ１０の何れかの好適例（態様Ｂ１１）において、前記第１循環路の流路幅は、前記第１ノズルの最大径よりも小さい。以上の態様では、第１循環路の流路幅が第１ノズルの最大径よりも小さいから、第１循環路の流路幅が第１ノズルの最大径よりも大きい構成と比較して、第１循環路の流路抵抗が大きい。したがって、噴射量を多くすることが可能である。
＜態様Ｂ１２＞
態様Ｂ１から態様Ｂ１１の何れかの好適例（態様Ｂ１２）において、前記第１循環路の流路幅は、前記第１圧力室の流路幅よりも小さい。以上の態様では、第１循環路の流路幅が第１圧力室の流路幅よりも小さいから、第１循環路の流路幅が第１圧力室の流路幅よりも大きい構成と比較して、第１循環路の流路抵抗が大きい。したがって、噴射量を多くすることが可能である。
＜態様Ｂ１３＞
態様Ｂ１から態様Ｂ１２の何れかの好適例（態様Ｂ１３）において、前記第１循環路のうち前記循環液室側の部分の流路幅は、前記第１ノズル側の部分の流路幅よりも広い。以上の態様では、第１循環路のうち循環液室側の部分の流路幅が第１ノズル側の部分の流路幅よりも広いから、第１連通路内の液体が第１循環路を介して循環液室に供給され易い。したがって、循環量を確保し易いという利点がある。
＜態様Ｂ１４＞
態様Ｂ１から態様Ｂ１２の何れかの好適例（態様Ｂ１４）において、前記第１循環路のうち中間部分の流路幅は、前記中間部分からみて前記循環液室側の部分の流路幅および前記第１ノズル側の部分の流路幅よりも狭い。以上の態様では、第１循環路のうち中間部分の流路幅が循環液室側の部分および第１ノズル側の部分よりも狭いから、第１循環路の流路幅が一定である構成と比較して第１循環路の流路抵抗が大きい。したがって、噴射量を多くすることが可能である。
＜態様Ｂ１５＞
態様Ｂ１から態様Ｂ１２の何れかの好適例（態様Ｂ１５）において、前記第１循環路のうち中間部分の流路幅は、前記中間部分からみて前記循環液室側の部分の流路幅および前記第１ノズル側の部分の流路幅よりも広い。以上の態様では、第１循環路のうち中間部分の流路幅が循環液室側の部分および第１ノズル側の部分よりも広いから、第１循環路の流路幅が一定である構成と比較して第１循環路の流路抵抗が小さい。したがって、循環量を多くすることが可能である。
＜態様Ｂ１６＞
態様Ｂ１から態様Ｂ１５の何れかの好適例（態様Ｂ１６）において、前記第１ノズルの中心軸は、前記第１連通路の中心軸からみて前記循環液室とは反対側に位置する。以上の態様では、第１ノズルの中心軸が第１連通路の中心軸からみて循環液室とは反対側に位置するから、第１ノズルの中心軸が第１連通路の中心軸からみて循環液室側に位置する構成と比較して、循環量を低減するとともに噴射量を増加させることが可能である。
＜態様Ｂ１７＞
態様Ｂ１から態様Ｂ１５の何れかの好適例（態様Ｂ１７）において、前記第１ノズルの中心軸は、前記第１連通路の中心軸と同じ位置にある。以上の態様では、第１ノズルの中心軸と第１連通路の中心軸とが同じ位置にあるから、第１ノズルの中心軸と第１連通路の中心軸とが相異なる位置にある構成と比較して、噴射量の確保と循環量の確保とを両立し易いという利点がある。
＜態様Ｂ１８＞
態様Ｂ１から態様Ｂ１５の何れかの好適例（態様Ｂ１８）において、前記第１ノズルの中心軸は、前記第１連通路の中心軸からみて前記循環液室側に位置する。以上の態様では、第１ノズルの中心軸が第１連通路の中心軸からみて循環液室側に位置するから、第１ノズルの中心軸が第１連通路の中心軸からみて循環液室とは反対側に位置する構成と比較して、循環量を増加させるとともに噴射量を低減することが可能である。
＜態様Ｂ１９＞
態様Ｂ１から態様Ｂ１８の何れかの好適例（態様Ｂ１９）において、前記第１循環路のうち中間部分は、前記中間部分からみて前記循環液室側の部分および前記第１ノズル側の部分よりも深い。以上の態様では、第１循環路の中間部分が循環液室側の部分および第１ノズル側の部分よりも深いから、第１循環路の深さが全長にわたり一定である構成と比較して第１循環路の流路抵抗が小さい。したがって、循環量を多くすることが可能である。
＜態様Ｂ２０＞
態様Ｂ１から態様Ｂ１９の何れかの好適例（態様Ｂ２０）において、前記第１圧力室に圧力変化を発生させた場合に、前記第１循環路を介して循環液室に供給される液体の量は、前記第１ノズルから噴射される液体の量よりも多い。以上の態様では、循環量が噴射量よりも多い。すなわち、噴射量を確保しながら、ノズルの近傍の液体を効果的に循環液室に循環させることが可能である。
＜態様Ｂ２１＞
態様Ｂ１から態様Ｂ２０の何れかの好適例（態様Ｂ２１）において、前記第１循環路と前記循環液室とは相互に重なり、前記第１循環路と前記第１圧力室とは相互に重なり、前記循環液室と前記第１圧力室とは相互に重ならない。以上の態様では、第１循環路が循環液室および第１圧力室に重なる一方、循環液室と第１圧力室とは相互に重ならない。したがって、例えば第１循環路と第１圧力室とが相互に重ならない構成と比較して、液体噴射ヘッドを小型化し易いという利点がある。
＜態様Ｂ２２＞
態様Ｂ１から態様Ｂ２０の何れかの好適例（態様Ｂ２２）において、前記第１循環路と前記循環液室とは相互に重なり、前記第１循環路と前記圧力発生部とは相互に重なり、前記循環液室と前記圧力発生部とは相互に重ならない。以上の態様では、第１循環路が循環液室および圧力発生部に重なる一方、循環液室と圧力発生部と相互に重ならない。したがって、例えば第１循環路と圧力発生部とが相互に重ならない構成と比較して、液体噴射ヘッドを小型化し易いという利点がある。
＜態様Ｂ２３＞
態様Ｂ１から態様Ｂ２０の何れかの好適例（態様Ｂ２３）において、前記第１圧力室のうち前記第１連通路側の端面は、当該第１圧力室の上面に対して傾斜した傾斜面であり、前記第１循環路と前記第１圧力室の上面とは相互に重ならない。
＜態様Ｂ２４＞
態様Ｂ１から態様Ｂ２３の何れかの好適例（態様Ｂ２４）において、前記第１圧力室と前記循環液室とは、前記第１連通路と前記第１循環路とを介して連通する。以上の態様では、第１圧力室と循環液室とが第１連通路と第１循環路とを介して関節的に連通する。したがって、第１圧力室と循環液室とが直接的に連通する構成と比較して、噴射量を適切に確保しながら循環液室に液体を供給することが可能である。
＜態様Ｂ２５＞
態様Ｂ１から態様Ｂ２４の何れかの好適例（態様Ｂ２５）において、前記ノズルプレートおよび流路形成部の各々は、シリコンで形成された基板を含む。以上の態様では、ノズルプレートおよび流路形成部の各々がシリコンの基板を含むから、例えば半導体製造技術を利用することで、ノズルプレートおよび流路形成部に対して高精度に流路を形成できるという利点がある。
＜態様Ｂ２６＞
本発明の好適な態様に係る液体噴射装置は、以上に例示した各態様に係る液体噴射ヘッドを具備する。液体噴射装置の好例は、インクを噴射する印刷装置であるが、本発明に係る液体噴射装置の用途は印刷に限定されない。
【図面の簡単な説明】
【０００７】
【図１】本発明の第１実施形態における液体噴射装置の構成図である。
【図２】液体噴射ヘッドの断面図である。
【図３】液体噴射ヘッドの部分的な分解斜視図である。
【図４】圧電素子の断面図である。
【図５】液体噴射ヘッドにおけるインクの循環の説明図である。
【図６】液体噴射ヘッドのうち循環液室の近傍の平面図および断面図である。
【図７】第２実施形態における液体噴射ヘッドの部分的な分解斜視図である。
【図８】第２実施形態における循環液室の近傍の平面図および断面図である。
【図９】第３実施形態における循環液室の近傍の平面図および断面図である。
【図１０】第４実施形態における循環液室の近傍の断面図である。
【図１１】第５実施形態における循環液室の近傍の断面図である。
【図１２】第５実施形態の変形例における循環液室の近傍の断面図である。
【図１３】第６実施形態における循環液室の平面図である。
【図１４】第６実施形態の変形例における循環液室の平面図である。
【図１５】第６実施形態の変形例における循環液室の平面図である。
【図１６】第７実施形態における循環液室の近傍の断面図である。
【図１７】第７実施形態の変形例における循環液室の近傍の断面図である。
【図１８】第７実施形態の変形例における循環液室の近傍の断面図である。
【図１９】第７実施形態の変形例における循環液室の近傍の断面図である。
【図２０】変形例の液体噴射ヘッドにおける循環液室の近傍の断面図である。
【図２１】変形例の液体噴射ヘッドにおける循環液室の近傍の断面図である。
【図２２】変形例の液体噴射ヘッドにおける循環液室の近傍の断面図である。
【図２３】変形例の液体噴射ヘッドにおける循環液室の近傍の平面図である。
【図２４】変形例の液体噴射ヘッドにおける循環液室の近傍の平面図である。
【図２５】変形例の液体噴射ヘッドにおける循環液室の近傍の平面図である。
【図２６】変形例の液体噴射ヘッドのうち循環液室の近傍の平面図および断面図である。
【図２７】変形例の液体噴射ヘッドのうち循環液室の近傍の平面図および断面図である。
【図２８】変形例の液体噴射ヘッドにおける循環液室の近傍の断面図である。
【図２９】変形例の液体噴射ヘッドにおける循環液室の近傍の断面図である。
【発明を実施するための形態】
【０００８】
＜第１実施形態＞
図１は、本発明の第１実施形態に係る液体噴射装置１００を例示する構成図である。第１実施形態の液体噴射装置１００は、液体の例示であるインクを媒体１２に噴射するインクジェット方式の印刷装置である。媒体１２は、典型的には印刷用紙であるが、樹脂フィルムまたは布帛等の任意の材質の印刷対象が媒体１２として利用され得る。図１に例示される通り、液体噴射装置１００には、インクを貯留する液体容器１４が設置される。例えば液体噴射装置１００に着脱可能なカートリッジ、可撓性のフィルムで形成された袋状のインクパック、またはインクを補充可能なインクタンクが液体容器１４として利用される。色彩が相違する複数種のインクが液体容器１４には貯留される。
【０００９】
図１に例示される通り、液体噴射装置１００は、制御ユニット２０と搬送機構２２と移動機構２４と液体噴射ヘッド２６とを具備する。制御ユニット２０は、例えばＣＰＵ（Central Processing Unit）またはＦＰＧＡ（Field Programmable Gate Array）等の処理回路と半導体メモリー等の記憶回路とを含み、液体噴射装置１００の各要素を統括的に制御する。搬送機構２２は、制御ユニット２０による制御のもとで媒体１２をＹ方向に搬送する。
【００１０】
移動機構２４は、制御ユニット２０による制御のもとで液体噴射ヘッド２６をＸ方向に往復させる。Ｘ方向は、媒体１２が搬送されるＹ方向に交差（典型的には直交）する方向である。第１実施形態の移動機構２４は、液体噴射ヘッド２６を収容する略箱型の搬送体２４２（キャリッジ）と、搬送体２４２が固定された搬送ベルト２４４とを具備する。なお、複数の液体噴射ヘッド２６を搬送体２４２に搭載した構成や、液体容器１４を液体噴射ヘッド２６とともに搬送体２４２に搭載した構成も採用され得る。
【００１１】
液体噴射ヘッド２６は、液体容器１４から供給されるインクを制御ユニット２０による制御のもとで複数のノズルＮ（噴射孔）から媒体１２に噴射する。搬送機構２２による媒体１２の搬送と搬送体２４２の反復的な往復とに並行して各液体噴射ヘッド２６が媒体１２にインクを噴射することで、媒体１２の表面に所望の画像が形成される。なお、Ｘ-Ｙ平面（例えば媒体１２の表面に平行な平面）に垂直な方向を以下ではＺ方向と表記する。各液体噴射ヘッド２６によるインクの噴射方向（典型的には鉛直方向）がＺ方向に相当する。
【００１２】
図１に例示される通り、液体噴射ヘッド２６の複数のノズルＮはＹ方向に配列される。第１実施形態の複数のノズルＮは、Ｘ方向に相互に間隔をあけて並設された第１列Ｌ1と第２列Ｌ2とに区分される。第１列Ｌ1および第２列Ｌ2の各々は、Ｙ方向に直線状に配列された複数のノズルＮの集合である。なお、第１列Ｌ1と第２列Ｌ2との間で各ノズルＮのＹ方向に位置を相違させること（すなわち千鳥配置またはスタガ配置）も可能であるが、第１列Ｌ1と第２列Ｌ2とで各ノズルＮのＹ方向の位置を一致させた構成を以下では便宜的に例示する。液体噴射ヘッド２６においてＹ方向に平行な中心軸を通過するとともにＺ方向に平行な平面（Ｙ-Ｚ平面）Ｏを以下の説明では「中心面」と表記する。
【００１３】
図２は、Ｙ方向に垂直な断面における液体噴射ヘッド２６の断面図であり、図３は、液体噴射ヘッド２６の部分的な分解斜視図である。図２および図３から理解される通り、第１実施形態の液体噴射ヘッド２６は、第１列Ｌ1の各ノズルＮ（第１ノズルの例示）に関連する要素と第２列Ｌ2の各ノズルＮ（第２ノズルの例示）に関連する要素とが中心面Ｏを挟んで面対称に配置された構造である。すなわち、液体噴射ヘッド２６のうち中心面Ｏを挟んでＸ方向の正側の部分（以下「第１部分」という）Ｐ1とＸ方向の負側の部分（以下「第２部分」という）Ｐ2とで構造は実質的に共通する。第１列Ｌ1の複数のノズルＮは第１部分Ｐ1に形成され、第２列Ｌ2の複数のノズルＮは第２部分Ｐ2に形成される。中心面Ｏは、第１部分Ｐ1と第２部分Ｐ2との境界面に相当する。
【００１４】
図２および図３に例示される通り、液体噴射ヘッド２６は流路形成部３０を具備する。流路形成部３０は、複数のノズルＮにインクを供給するための流路を形成する構造体である。第１実施形態の流路形成部３０は、第１流路基板３２（連通板）と第２流路基板３４（圧力室形成板）との積層で構成される。第１流路基板３２および第２流路基板３４の各々は、Ｙ方向に長尺な板状部材である。第１流路基板３２のうちＺ方向の負側の表面Ｆaに、例えば接着剤を利用して第２流路基板３４が設置される。
【００１５】
図２に例示される通り、第１流路基板３２の表面Ｆaの面上には、第２流路基板３４のほか、振動部４２と複数の圧電素子４４と保護部材４６と筐体部４８とが設置される（図３では図示略）。他方、第１流路基板３２のうちＺ方向の正側（すなわち表面Ｆaとは反対側）の表面Ｆbにはノズルプレート５２と吸振体５４とが設置される。液体噴射ヘッド２６の各要素は、概略的には第１流路基板３２や第２流路基板３４と同様にＹ方向に長尺な板状部材であり、例えば接着剤を利用して相互に接合される。第１流路基板３２と第２流路基板３４とが積層される方向や第１流路基板３２とノズルプレート５２とが積層される方向（あるいは板状の各要素の表面に垂直な方向）を、Ｚ方向として把握することも可能である。
【００１６】
ノズルプレート５２は、複数のノズルＮが形成された板状部材であり、例えば接着剤を利用して第１流路基板３２の表面Ｆbに設置される。複数のノズルＮの各々は、インクを通過させる円形状の貫通孔である。第１実施形態のノズルプレート５２には、第１列Ｌ1を構成する複数のノズルＮと第２列Ｌ2を構成する複数のノズルＮとが形成される。具体的には、ノズルプレート５２のうち中心面ＯからみてＸ方向の正側の領域に、第１列Ｌ1の複数のノズルＮがＹ方向に沿って形成され、Ｘ方向の負側の領域に、第２列Ｌ2の複数のノズルＮがＹ方向に沿って形成される。第１実施形態のノズルプレート５２は、第１列Ｌ1の複数のノズルＮが形成された部分と第２列Ｌ2の複数のノズルＮが形成された部分とにわたり連続する単体の板状部材である。第１実施形態のノズルプレート５２は、半導体製造技術（例えばドライエッチングやウェットエッチング等の加工技術）を利用してシリコン（Ｓi）の単結晶基板を加工することで製造される。ただし、ノズルプレート５２の製造には公知の材料や製法が任意に採用され得る。
【００１７】
図２および図３に例示される通り、第１流路基板３２には、第１部分Ｐ1および第２部分Ｐ2の各々について、空間Ｒaと供給液室６０と複数の供給路６１と複数の連通路６３とが形成される。空間Ｒaは、平面視で（すなわちＺ方向からみて）Ｙ方向に沿う長尺状に形成された開口であり、供給路６１および連通路６３はノズルＮ毎に形成された貫通孔である。供給液室６０は、複数のノズルＮにわたりＹ方向に沿う長尺状に形成された空間であり、空間Ｒaと複数の供給路６１とを相互に連通させる。複数の連通路６３は平面視でＹ方向に配列し、複数の供給路６１は、複数の連通路６３の配列と空間Ｒaとの間でＹ方向に配列する。複数の供給路６１は、空間Ｒaに共通に連通する。また、任意の１個の連通路６３は、当該連通路６３に対応するノズルＮに平面視で重なる。具体的には、第１部分Ｐ1の任意の１個の連通路６３は、第１列Ｌ1のうち当該連通路６３に対応する１個のノズルＮに連通する。同様に、第２部分Ｐ2の任意の１個の連通路６３は、第２列Ｌ2のうち当該連通路６３に対応する１個のノズルＮに連通する。
【００１８】
図２および図３に例示される通り、第２流路基板３４は、第１部分Ｐ1および第２部分Ｐ2の各々について複数の圧力室Ｃが形成された板状部材である。複数の圧力室ＣはＹ方向に配列する。各圧力室Ｃ（キャビティ）は、ノズルＮ毎に形成されて平面視でＸ方向に沿う長尺状の空間である。第１流路基板３２および第２流路基板３４は、前述のノズルプレート５２と同様に、例えば半導体製造技術を利用してシリコンの単結晶基板を加工することで製造される。ただし、第１流路基板３２および第２流路基板３４の製造には公知の材料や製法が任意に採用され得る。以上の例示の通り、第１実施形態における流路形成部３０（第１流路基板３２および第２流路基板３４）とノズルプレート５２とはシリコンで形成された基板を包含する。したがって、例えば前述の例示のように半導体製造技術を利用することで、流路形成部３０およびノズルプレート５２に微細な流路を高精度に形成できるという利点がある。
【００１９】
図２に例示される通り、第２流路基板３４のうち第１流路基板３２とは反対側の表面には振動部４２が設置される。第１実施形態の振動部４２は、弾性的に振動可能な板状部材（振動板）である。なお、所定の板厚の板状部材のうち圧力室Ｃに対応する領域について板厚方向の一部を選択的に除去することで、第２流路基板３４と振動部４２とを一体に形成することも可能である。
【００２０】
図２から理解される通り、第１流路基板３２の表面Ｆaと振動部４２とは、各圧力室Ｃの内側で相互に間隔をあけて対向する。圧力室Ｃは、第１流路基板３２の表面Ｆaと振動部４２との間に位置する空間であり、当該空間に充填されたインクに圧力変化を発生させる。各圧力室Ｃは、例えばＸ方向を長手方向とする空間であり、ノズルＮ毎に個別に形成される。第１列Ｌ1および第２列Ｌ2の各々について、複数の圧力室ＣがＹ方向に配列する。図２および図３に例示される通り、任意の１個の圧力室Ｃのうち中心面Ｏ側の端部は平面視で連通路６３に重なり、中心面Ｏとは反対側の端部は平面視で供給路６１に重なる。したがって、第１部分Ｐ1および第２部分Ｐ2の各々において、圧力室Ｃは、連通路６３を介してノズルＮに連通するとともに、供給路６１を介して空間Ｒaに連通する。なお、流路幅が狭窄された絞り流路を圧力室Ｃに形成することで所定の流路抵抗を付加することも可能である。
【００２１】
図２に例示される通り、振動部４２のうち圧力室Ｃとは反対側の面上には、第１部分Ｐ1および第２部分Ｐ2の各々について、相異なるノズルＮに対応する複数の圧電素子４４が設置される。圧電素子４４は、駆動信号の供給により変形する受動素子である。複数の圧電素子４４は、各圧力室Ｃに対応するようにＹ方向に配列する。任意の１個の圧電素子４４は、図４に例示される通り、相互に対向する第１電極４４１と第２電極４４２との間に圧電体層４４３を介在させた積層体である。なお、第１電極４４１および第２電極４４２の一方を、複数の圧電素子４４にわたり連続する電極（すなわち共通電極）とすることも可能である。第１電極４４１と第２電極４４２と圧電体層４４３とが平面視で重なる部分が圧電素子４４として機能する。なお、駆動信号の供給により変形する部分（すなわち振動部４２を振動させる能動部）を圧電素子４４として画定することも可能である。以上の説明から理解される通り、第１実施形態の液体噴射ヘッド２６は第１圧電素子と第２圧電素子とを具備する。例えば、第１圧電素子は、中心面ＯからみてＸ方向の一方側（例えば図２における右側）の圧電素子４４であり、第２圧電素子は、中心面ＯからみてＸ方向の他方側（例えば図２における左側）の圧電素子４４である。圧電素子４４の変形に連動して振動部４２が振動すると、圧力室Ｃ内の圧力が変動することで、圧力室Ｃに充填されたインクが連通路６３とノズルＮとを通過して噴射される。
【００２２】
図２の保護部材４６は、複数の圧電素子４４を保護するための板状部材であり、振動部４２の表面（または第２流路基板３４の表面）に設置される。保護部材４６の材料や製法は任意であるが、第１流路基板３２や第２流路基板３４と同様に、例えばシリコン（Ｓi）の単結晶基板を半導体製造技術により加工することで保護部材４６は形成され得る。保護部材４６のうち振動部４２側の表面に形成された凹部に複数の圧電素子４４が収容される。
【００２３】
振動部４２のうち流路形成部３０とは反対側の表面（または流路形成部３０の表面）には配線基板２８の端部が接合される。すなわち、流路形成部３０を挟んでノズルプレート５２とは反対側に配線基板２８の端部が接合される。配線基板２８は、制御ユニット２０と液体噴射ヘッド２６とを電気的に接続する複数の配線（図示略）が形成された可撓性の実装部品である。配線基板２８のうち、保護部材４６に形成された開口部と筐体部４８に形成された開口部とを通過して外部に延出した端部が制御ユニット２０に接続される。例えばＦＰＣ（Flexible Printed Circuit）やＦＦＣ（Flexible Flat Cable）等の可撓性の配線基板２８が好適に採用される。
【００２４】
筐体部４８は、複数の圧力室Ｃ（さらには複数のノズルＮ）に供給されるインクを貯留するためのケースである。筐体部４８のうちＺ方向の正側の表面が例えば接着剤で第１流路基板３２の表面Ｆaに接合される。筐体部４８の製造には公知の技術や製法が任意に採用され得る。例えば樹脂材料の射出成形で筐体部４８を形成することが可能である。
【００２５】
図２に例示される通り、第１実施形態の筐体部４８には、第１部分Ｐ1および第２部分Ｐ2の各々について空間Ｒbが形成される。筐体部４８の区間Ｒbと第１流路基板３２の空間Ｒaとは相互に連通する。空間Ｒaと空間Ｒbとで構成される空間は、複数の圧力室Ｃに供給されるインクを貯留する液体貯留室（リザーバー）Ｒとして機能する。液体貯留室Ｒは、複数のノズルＮについて共用される共通液室である。第１部分Ｐ1および第２部分Ｐ2の各々に液体貯留室Ｒが形成される。第１部分Ｐ1の液体貯留室Ｒは、中心面ＯからみてＸ方向の正側に位置し、第２部分Ｐ2の液体貯留室Ｒは、中心面ＯからみてＸ方向の負側に位置する。筐体部４８のうち第１流路基板３２とは反対側の表面には、液体容器１４から供給されるインクを液体貯留室Ｒに導入するための導入口４８２が形成される。液体貯留室Ｒ内の液体は、供給液室６０と各供給路６１とを介して圧力室Ｃに供給される。
【００２６】
図２に例示される通り、第１流路基板３２の表面Ｆbには、第１部分Ｐ1および第２部分Ｐ2の各々について吸振体５４が設置される。吸振体５４は、液体貯留室Ｒ内のインクの圧力変動を吸収する可撓性のフィルム（コンプライアンス基板）である。図３に例示される通り、吸振体５４は、第１流路基板３２の空間Ｒaと複数の供給路６１とを閉塞するように第１流路基板３２の表面Ｆbに設置されて液体貯留室Ｒの壁面（具体的には底面）を構成する。
【００２７】
図２に例示される通り、第１流路基板３２のうちノズルプレート５２に対向する表面Ｆbには空間（以下「循環液室」という）６５が形成される。第１実施液体の循環液室６５は、平面視でＹ方向に延在する長尺状の有底孔（溝部）である。第１流路基板３２の表面Ｆbに接合されたノズルプレート５２により循環液室６５の開口は閉塞される。
【００２８】
図５は、循環液室６５に着目した液体噴射ヘッド２６の構成図である。図５に例示される通り、循環液室６５は、第１列Ｌ1および第２列Ｌ2に沿って複数のノズルＮにわたり連続する。具体的には、第１列Ｌ1の複数のノズルＮの配列と第２列Ｌ2の複数のノズルＮの配列との間に循環液室６５が形成される。したがって、図２に例示される通り、循環液室６５は、第１部分Ｐ1の連通路６３と第２部分Ｐ2の連通路６３との間に位置する。以上の説明から理解される通り、第１実施形態の流路形成部３０は、第１部分Ｐ1における圧力室Ｃ（第１圧力室）および連通路６３（第１連通路）と、第２部分Ｐ2における圧力室Ｃ（第２圧力室）および連通路６３（第２連通路）と、第１部分Ｐ1の連通路６３と第２部分Ｐ2の連通路６３との間に位置する循環液室６５とが形成された構造体である。図２に例示される通り、第１実施形態の流路形成部３０は、循環液室６５と各連通路６３との間を仕切る壁状の部分（以下「隔壁部」という）６９を含む。図２から理解される通り、循環液室６５は配線基板２８の端部に平面視で重なる。
【００２９】
なお、前述の通り、第１部分Ｐ1および第２部分Ｐ2の各々において複数の圧力室Ｃおよび複数の圧電素子４４がＹ方向に配列する。したがって、第１部分Ｐ1および第２部分Ｐ2の各々における複数の圧力室Ｃまたは複数の圧電素子４４にわたり連続するように、循環液室６５がＹ方向に延在すると換言することも可能である。また、図２および図３から理解される通り、循環液室６５と液体貯留室Ｒとが相互に間隔をあけてＹ方向に延在し、当該間隔内に圧力室Ｃと連通路６３とノズルＮとが位置するということも可能である。
【００３０】
図６は、液体噴射ヘッド２６のうち循環液室６５の近傍の部分を拡大した平面図および断面図である。図６に例示される通り、第１実施形態における１個のノズルＮは、第１区間ｎ1と第２区間ｎ2とを含む。第１区間ｎ1と第２区間ｎ2とは同軸に形成されて相互に連通する円形状の空間である。第２区間ｎ2は、第１区間ｎ1からみて流路形成部３０側に位置する。第２区間ｎ2の内径ｄ2は第１区間ｎ1の内径ｄ1よりも大きい（ｄ2＞ｄ1）。以上のように各ノズルＮを階段状に形成した構成によれば、各ノズルＮの流路抵抗を所望の特性に設定し易いという利点がある。また、図６に例示される通り、第１実施形態における各ノズルＮの中心軸Ｑaは、連通路６３の中心軸Ｑbからみて循環液室６５とは反対側に位置する。
【００３１】
図６に例示される通り、ノズルプレート５２のうち流路形成部３０に対向する表面には、第１部分Ｐ1および第２部分Ｐ2の各々について複数の循環路７２が形成される。第１部分Ｐ1の複数の循環路７２（第１循環路の例示）は、第１列Ｌ1の複数のノズルＮ（または第１列Ｌ1に対応する複数の連通路６３）に１対１に対応する。また、第２部分Ｐ2の複数の循環路７２（第２循環路の例示）は、第２列Ｌ2の複数のノズルＮ（または第２列Ｌ2に対応する複数の連通路６３）に１対１に対応する。
【００３２】
各循環路７２は、Ｘ方向に延在する溝部（すなわち長尺状の有底孔）であり、インクを流通させる流路として機能する。第１実施形態の循環路７２は、ノズルＮから離間した位置（具体的には、当該循環路７２に対応するノズルＮからみて循環液室６５側）に形成される。例えば、半導体製造技術（例えばドライエッチングやウェットエッチング等の加工技術）により複数のノズルＮ（特に第２区間ｎ2）と複数の循環路７２とが共通の工程で一括的に形成される。
【００３３】
図６に例示される通り、各循環路７２は、ノズルＮのうち第２区間ｎ2の内径ｄ2と同等の流路幅Ｗaで直線状に形成される。また、第１実施形態における循環路７２の流路幅（Ｙ方向の寸法）Ｗaは、圧力室Ｃの流路幅（Ｙ方向の寸法）Ｗbよりも小さい。したがって、循環路７２の流路幅Ｗaが圧力室Ｃの流路幅Ｗbよりも大きい構成と比較して循環路７２の流路抵抗を大きくすることが可能である。他方、ノズルプレート５２の表面に対する循環路７２の深さＤaは全長にわたり一定である。具体的には、各循環路７２はノズルＮの第２区間ｎ2と同等の深さに形成される。以上の構成によれば、循環路７２と第２区間ｎ2とを相異なる深さに形成する構成と比較して、循環路７２および第２区間ｎ2を形成し易いという利点がある。なお、流路の「深さ」とは、Ｚ方向における流路の深さ（例えば流路の形成面と流路の底面との高低差）を意味する。
【００３４】
第１部分Ｐ1における任意の１個の循環路７２は、第１列Ｌ1のうち当該循環路７２に対応するノズルＮからみて循環液室６５側に位置する。また、第２部分Ｐ2における任意の１個の循環路７２は、第２列Ｌ2のうち当該循環路７２に対応するノズルＮからみて循環液室６５側に位置する。そして、各循環路７２のうち中心面Ｏとは反対側（連通路６３側）の端部は、当該循環路７２に対応する１個の連通路６３に平面視で重なる。すなわち、循環路７２は連通路６３に連通する。他方、各循環路７２のうち中心面Ｏ側（循環液室６５側）の端部は循環液室６５に平面視で重なる。すなわち、循環路７２は循環液室６５に連通する。以上の説明から理解される通り、複数の連通路６３の各々が循環路７２を介して循環液室６５に連通する。したがって、図６に破線の矢印で図示される通り、各連通路６３内のインクは循環路７２を介して循環液室６５に供給される。すなわち、第１実施形態では、第１列Ｌ1に対応する複数の連通路６３と第２列Ｌ2に対応する複数の連通路６３とが１個の循環液室６５に対して共通に連通する。
【００３５】
図６には、任意の１個の循環路７２のうち循環液室６５に重なる部分の流路長Ｌaと、循環路７２のうち連通路６３に重なる部分の流路長（Ｘ方向の寸法）Ｌbと、循環路７２のうち流路形成部３０の隔壁部６９に重なる部分の流路長（Ｘ方向の寸法）Ｌcとが図示されている。流路長Ｌcは、隔壁部６９の厚さに相当する。隔壁部６９は、循環路７２の絞り部分として機能する。したがって、隔壁部６９の厚さに相当する流路長Ｌcが長いほど、循環路７２の流路抵抗が増大する。第１実施形態では、流路長Ｌaが流路長Ｌbよりも長く（Ｌa＞Ｌb）、流路長Ｌaが流路長Ｌcよりも長い（Ｌa＞Ｌc）、という関係が成立する。さらに、第１実施形態では、流路長Ｌbが流路長Ｌcよりも長い（Ｌb＞Ｌc）という関係が成立する（Ｌa＞Ｌb＞Ｌc）。以上の構成によれば、流路長Ｌaや流路長Ｌbが流路長Ｌcよりも短い構成と比較して、連通路６３から循環路７２を介して循環液室６５にインクが流入し易いという利点がある。
【００３６】
以上に例示した通り、第１実施形態では、圧力室Ｃが連通路６３と循環路７２とを介して間接的に循環液室６５に連通する。すなわち、圧力室Ｃと循環液室６５とは直接的には連通しない。以上の構成において、圧電素子４４の動作により圧力室Ｃ内の圧力が変動すると、連通路６３内を流動するインクのうちの一部がノズルＮから外部に噴射され、残りの一部が連通路６３から循環路７２を経由して循環液室６５に流入する。第１実施形態では、圧電素子４４の１回の駆動により連通路６３を流通するインクのうち、ノズルＮを介して噴射されるインクの量（以下「噴射量」という）が、連通路６３を流通するインクのうち循環路７２を介して循環液室６５に流入するインクの量（以下「循環量」という）を上回るように、連通路６３とノズルと循環路７２とのイナータンスが選定される。全部の圧電素子４４を一斉に駆動した場合を想定すると、複数のノズルＮによる噴射量の合計よりも、複数の連通路６３から循環液室６５に流入する循環量の合計（例えば循環液室６５内の単位時間内の流量）のほうが多い、と換言することも可能である。
【００３７】
具体的には、連通路６３を流通するインクのうち循環量の比率が７０％以上となる（噴射量の比率が３０％以下）となるように、連通路６３とノズルと循環路７２との各々の流路抵抗が決定される。以上の構成によれば、インクの噴射量を確保しながら、ノズルの近傍のインクを効果的に循環液室６５に循環させることが可能である。概略的には、循環路７２の流路抵抗が大きいほど、循環量が減少する一方で噴射量が増加し、循環路７２の流路抵抗が小さいほど、循環量が増加する一方で噴射量が減少する、という傾向がある。
【００３８】
図５に例示される通り、第１実施形態の液体噴射装置１００は循環機構７５を具備する。循環機構７５は、循環液室６５内のインクを液体貯留室Ｒに供給（すなわち循環）するための機構である。第１実施形態の循環機構７５は、例えば、循環液室６５からインクを吸引する吸引機構（例えばポンプ）と、インクに混在する気泡や異物を捕集するフィルター機構と、インクの加熱により増粘を低減する加温機構とを具備する（図示略）。循環機構７５により気泡や異物が除去されるとともに増粘が低減されたインクが、循環機構７５から導入口４８２を介して液体貯留室Ｒに供給される。以上の説明から理解される通り、第１実施形態では、液体貯留室Ｒ→供給路６１→圧力室Ｃ→連通路６３→循環路７２→循環液室６５→循環機構７５→液体貯留室Ｒという経路でインクが循環する。
【００３９】
図５から理解される通り、第１実施形態の循環機構７５は、Ｙ方向における循環液室６５の両側からインクを吸引する。循環液室６５には、Ｙ方向の正側の端部の近傍に位置する循環口６５aと、Ｙ方向の負側の端部の近傍に位置する循環口６５bとが形成される。循環機構７５は、循環口６５aおよび循環口６５bの双方からインクを吸引する。なお、Ｙ方向における循環液室６５の一方の端部のみからインクを吸引する構成では、循環液室６５の両端部間でインクの圧力に差異が発生し、循環液室６５内の圧力差に起因して連通路６３内のインクの圧力がＹ方向の位置に応じて相違し得る。したがって、各ノズルからのインクの噴射特性（例えば噴射量や噴射速度）がＹ方向の位置に応じて相違する可能性がある。以上の構成とは対照的に、第１実施形態では、循環液室６５の両側（循環口６５aおよび循環口６５b）からインクが吸引されるから、循環液室６５の内部における圧力差が低減される。したがって、Ｙ方向に配列する複数のノズルにわたりインクの噴射特性を高精度に近似させることが可能である。ただし、循環液室６５内でのＹ方向における圧力差が特段の問題とならない場合には、循環液室６５の一方の端部からインクを吸引する構成も採用され得る。
【００４０】
前述の通り、循環路７２と連通路６３とは平面視で重なり、連通路６３と圧力室Ｃとは平面視で重なる。したがって、循環路７２と圧力室Ｃとは平面視で相互に重なる。他方、図５および図６から理解される通り、循環液室６５と圧力室Ｃとは平面視で相互に重ならない。また、圧電素子４４は、Ｘ方向に沿って圧力室Ｃの全体にわたり形成されるから、循環路７２と圧電素子４４とは平面視で相互に重なる一方、循環液室６５と圧電素子４４とは平面視で相互に重ならない。以上の説明から理解され通り、圧力室Ｃまたは圧電素子４４は、循環路７２に平面視で重なる一方、循環液室６５には平面視で重ならない。したがって、例えば圧力室Ｃまたは圧電素子４４が循環路７２に平面視で重ならない構成と比較して、液体噴射ヘッド２６を小型化し易いという利点がある。
【００４１】
以上に説明した通り、第１実施形態では、連通路６３と循環液室６５とを連通させる循環路７２がノズルプレート５２に形成される。したがって、循環連通路が連通板に形成される特許文献１の構成と比較して、ノズルＮの近傍のインクを効率的に循環液室６５に循環させることが可能である。また、第１実施形態では、第１列Ｌ1に対応する連通路６３と第２列Ｌ2に対応する連通路６３とが両者間の循環液室６５に共通に連通する。したがって、第１列Ｌ1に対応する各循環路７２が連通する循環液室と第２列Ｌ2に対応する各循環路７２が連通する循環液室とを別個に設けた構成と比較して、液体噴射ヘッド２６の構成が簡素化される（ひいては小型化が実現される）という利点もある。
【００４２】
＜第２実施形態＞
本発明の第２実施形態を説明する。なお、以下に例示する各形態において作用や機能が第１実施形態と同様である要素については、第１実施形態の説明で使用した符号を流用して各々の詳細な説明を適宜に省略する。
【００４３】
図７は、第２実施形態における液体噴射ヘッド２６の部分的な分解斜視図であり、第１実施形態で参照した図３に対応する。また、図８は、液体噴射ヘッド２６のうち循環液室６５の近傍の部分を拡大した平面図および断面図であり、第１実施形態で参照した図６に対応する。
【００４４】
第１実施形態では、循環路７２とノズルＮとが相互に離間した構成を例示した。第２実施形態では、図７および図８から理解される通り、循環路７２とノズルＮとが相互に連続する。すなわち、第１部分Ｐ1の１個の循環路７２は第１列Ｌ1の１個のノズルＮに連続し、第２部分Ｐ2の１個の循環路７２は第２列Ｌ2の１個のノズルＮに連続する。具体的には、図８に例示される通り、各ノズルＮの第２区間ｎ2が循環路７２に連続する。すなわち、循環路７２と第２区間ｎ2とは相互に同等の深さに形成され、循環路７２の内周面と第２区間ｎ2の内周面とが相互に連続する。Ｘ方向に延在する１個の循環路７２の底面にノズルＮ（第１区間ｎ1）が形成された構成とも換言され得る。具体的には、循環路７２の底面のうち中心面Ｏとは反対側の端部の近傍にノズルＮの第１区間ｎ1が形成される。その他の構成は第１実施形態と同様である。例えば、第２実施形態においても、循環路７２のうち循環液室６５に重なる部分の流路長Ｌaは、循環路７２のうち流路形成部３０の隔壁部６９に重なる部分の流路長Ｌcよりも長い（Ｌa＞Ｌc）。
【００４５】
第２実施形態においても第１実施形態と同様の効果が実現される。また、第２実施形態では、各ノズルＮの第２区間ｎ2と循環路７２とが相互に連続する。したがって、循環路７２とノズルＮとが相互に離間する第１実施形態の構成と比較して、ノズルＮの近傍のインクを効率的に循環液室６５に循環させることができるという効果は格別に顕著である。
【００４６】
＜第３実施形態＞
図９は、第３実施形態における液体噴射ヘッド２６のうち循環液室６５の近傍の部分を拡大した平面図および断面図である。図９に例示される通り、第３実施形態における第１流路基板３２の表面Ｆbには、前述の第１実施形態と同様の循環液室６５（第１循環液室の例示）のほか、第１部分Ｐ1および第２部分Ｐ2の各々に対応する循環液室６７（第２循環液室の例示）が形成される。循環液室６７は、連通路６３およびノズルＮを挟んで循環液室６５とは反対側に形成されてＹ方向に延在する長尺状の有底孔（溝部）である。第１流路基板３２の表面Ｆbに接合されたノズルプレート５２により、循環液室６５および循環液室６７の各々の開口が閉塞される。循環液室６５の高さと循環液室６７の高さとは同等である。
【００４７】
第３実施形態の循環路７２は、第１部分Ｐ1および第２部分Ｐ2の各々において、循環液室６５と循環液室６７とにわたるようにＸ方向に延在する溝部である。具体的には、循環路７２のうち中心面Ｏ側（循環液室６５側）の端部は平面視で循環液室６５に重なり、循環路７２のうち中心面Ｏとは反対側（循環液室６７側）の端部は循環液室６７に平面視で重なる。また、循環路７２は平面視で連通路６３に重なる。すなわち、各連通路６３は、循環路７２を介して循環液室６５および循環液室６７の双方に連通する。
【００４８】
循環路７２の底面にノズルＮ（第１区間ｎ1）が形成される。具体的には、循環路７２のうち平面視で連通路６３に重なる部分の底面にノズルＮの第１区間ｎ1が形成される。第２実施形態と同様に、第３実施形態においても、循環路７２とノズルＮ（第２区間ｎ2）とが相互に連続する、と表現することも可能である。以上の説明から理解される通り、第１実施形態および第２実施形態では循環路７２の端部に連通路６３およびノズルＮが位置するのに対し、第３実施形態では、Ｘ方向に延在する循環路７２のうちの途中の部分に連通路６３およびノズルＮが位置する。
【００４９】
以上の説明から理解される通り、第３実施形態では、圧力室Ｃ内の圧力が変動すると、連通路６３内を流動するインクの一部がノズルＮから外部に噴射され、残りの一部が連通路６３から循環路７２を介して循環液室６５および循環液室６７の双方に供給される。循環液室６７内のインクは、循環液室６５内のインクとともに循環機構７５により吸引され、循環機構７５により気泡や異物が除去されるとともに増粘が低減されてから液体貯留室Ｒに供給される。
【００５０】
第３実施形態においても第１実施形態と同様の効果が実現される。また、第３実施形態では、循環液室６５に加えて循環液室６７が形成されるから、第１実施形態と比較して循環量を充分に確保できるという利点がある。なお、図９では、第２実施形態と同様に循環路７２とノズルＮとを連続させた構成を例示したが、第３実施形態において、第１実施形態と同様に循環路７２とノズルＮとを相互に離間させることも可能である。
【００５１】
＜第４実施形態＞
図１０は、第４実施形態における液体噴射ヘッド２６のうち循環液室６５の近傍の部分を拡大した断面図である。第１実施形態から第３実施形態では、循環液室６５の上面（天井面）がＸ-Ｙ平面に平行な構成（すなわち循環液室６５の高さが一定である構成）を例示した。第４実施形態では、図１０に例示される通り、循環液室６５の高さＨ（Ｈ1，Ｈ2，Ｈmax）がＸ方向の位置に応じて相違する。循環液室６５の高さＨは、第１流路基板３２の表面Ｆb（またはノズルプレート５２の表面）から循環液室６５の上面までの距離である。循環液室６５を、第１流路基板３２の表面Ｆbに形成された窪みと考えた場合、表面Ｆbからみた循環液室６５の深さを高さＨと考えることも可能である。
【００５２】
図１０に例示される通り、第１部分Ｐ1および第２部分Ｐ2の各々について、Ｘ方向の位置が相違する地点ｘ1（第１地点の例示）と地点ｘ2（第２地点の例示）とを想定する。地点ｘ2は、地点ｘ1からみて連通路６３側（すなわち中心面Ｏとは反対側）に位置する。図１０に例示される通り、第４実施形態では、循環液室６５における地点ｘ1での高さＨ1が、地点ｘ2での高さＨ2よりも大きい（Ｈ1＞Ｈ2）。具体的には、循環液室６５の高さＨは、Ｘ方向の中央部（中心面Ｏ上）において最大値Ｈmaxとなり、中央部から幅方向（Ｘ方向）の端部にかけて単調減少する。すなわち、循環液室６５の上面は、中心面Ｏを挟んで面対称であり、Ｚ方向の負側に凸の曲面状である。隔壁部６９の厚さがＺ方向の負側ほど大きい構成と換言することも可能である。
【００５３】
図１０から理解される通り、循環液室６５の高さＨの最大値Ｈmaxは、連通路６３の流路長（すなわち第１流路基板３２の厚さ）よりも小さい。具体的には、循環液室６５の高さＨの最大値Ｈmaxは、第１流路基板３２の厚さの半分以下である。また、循環液室６５の高さＨの最大値Ｈmaxは、循環液室６５の幅（最大幅）ωよりも小さい（Ｈmax＜ω）。以上のように循環液室６５の高さＨを制限した構成によれば、流路形成部３０（具体的には第１流路基板３２）の機械的な強度の低下を抑制することが可能である。
【００５４】
また、図１０から理解される通り、循環液室６５の高さＨの最大値Ｈmaxは、供給液室６０の高さと同等である。循環液室６５と供給液室６０とは、半導体製造技術（例えばウェットエッチング）によりシリコン（Ｓi）の単結晶基板を加工することで形成される。第４実施形態では、循環液室６５の高さＨの最大値Ｈmaxと供給液室６０の高さとが同等であるから、両者の高さが相違する構成と比較して、循環液室６５と供給液室６０とを形成する工程が簡素化されるという利点がある。
【００５５】
＜第５実施形態＞
図１１は、第５実施形態における液体噴射ヘッド２６のうち循環液室６５の近傍の部分を拡大した断面図である。図１１内の右側には、Ｘ-Ｚ平面に平行な断面が図示され、図１１内の左側には、中心面Ｏでの断面（Ｙ-Ｚ平面に平行な断面）をＸ方向の負側からみた構成が図示されている。
【００５６】
図１１に例示される通り、第５実施形態の循環液室６５は、第１空間６５１と複数の第２空間６５２とで構成される。第１空間６５１は、第１実施形態から第３実施形態における循環液室６５と同様の形状に形成される。具体的には、第５実施形態における第１空間６５１の上面は、第１実施形態から第３実施形態の循環液室６５と同様に、Ｘ-Ｙ平面に平行である。第１空間６５１の高さＨ1は、例えば第１流路基板３２の厚さの半分以下であり、かつ、第１空間６５１の幅（最大幅）よりも小さい。
【００５７】
複数の第２空間６５２は、複数の連通路６３に１対１で対応するように形成されて第１空間６５１に連通する。任意の１個の連通路６３に対応する第２空間６５２は、当該連通路６３に対応する循環路７２に平面視で重なる。したがって、連通路６３内のインクは循環路７２と第２空間６５２とを介して第１空間６５１に供給され、循環機構７５により液体貯留室Ｒに循環される。なお、図１１では、中心面ＯからみてＸ方向の正側の部分のみを便宜的に図示したが、中心面ＯからみてＸ方向の負側にも、中心面Ｏに対して面対称に同様の構成が形成される。
【００５８】
第２空間６５２の上面は、Ｘ方向の負側（第１空間６５１側）から正側（連通路６３側）にかけて高さＨが減少する傾斜面である。また、Ｙ方向に相互に隣合う２個の第２空間６５２の間には流路壁６９２が形成される。流路壁６９２は、各第２空間６５２を仕切る壁状の部分である。各第２空間６５２と連通路６３との間には一定の厚さの壁部（隔壁部６９の一部）が形成される。
【００５９】
図１１から理解される通り、第１空間６５１の高さは第２空間６５２の高さよりも大きい。図１１に例示される通り、第１空間６５１内の地点ｘ1（第１地点の例示）と第２空間６５２内の任意の地点ｘ2とを想定すると、循環液室６５における地点ｘ1での高さＨ1は、地点ｘ2での高さＨ2よりも大きい（Ｈ1＞Ｈ2）。地点ｘ2は、地点ｘ1からみて連通路６３側に位置する地点である。以上の説明から理解される通り、第５実施形態によれば、循環液室６５の全体（第１空間６５１および第２空間６５２の双方）を高さＨ1とした構成と比較して、流路形成部３０（具体的には第１流路基板３２）の機械的な強度の低下を抑制することが可能である。
【００６０】
＜第５実施形態の変形例＞
図１１では、循環液室６５のうち第１空間６５１の上面がＸ-Ｙ平面に平行である構成を例示したが、第５実施形態における第１空間６５１を第４実施形態（図１０）の循環液室６５と同様の形状とすることも可能である。例えば、図１２に例示された循環液室６５は、第１空間６５１と複数の第２空間６５２とで構成され、第１空間６５１は、Ｘ方向の位置に応じて高さＨが相違する形状に形成される。例えば、第１空間６５１の高さＨは、幅方向（Ｘ方向）の中央部から端部にかけて単調減少する。
【００６１】
＜第６実施形態＞
図１３は、第６実施形態における液体噴射ヘッド２６のうち循環液室６５の近傍に着目した平面図である。循環液室６５をＺ方向の正側からみた構成（すなわち循環液室６５の上面）が図１３には図示されている。第６実施形態の循環液室６５は、第４実施形態（図１０）と同様に、循環液室６５の高さＨがＸ方向の位置に応じて相違する形状に形成される。すなわち、循環液室６５の高さＨは、幅方向（Ｘ方向）の中央部から端部にかけて単調減少する。
【００６２】
図１３に例示される通り、循環液室６５の上面には複数の溝部６６５が並列に形成される。複数の溝部６６５の各々は、平面視で曲線状に延在する窪みである。相互に隣合う溝部６６５の間は山部であるから、平面視で曲線状の複数の山部が循環液室６５の上面に形成された構成とも換言され得る。図１３では、循環液室６５の上面に形成された溝部６６５の底部を表す曲線が実線で図示され、山部の頂部を表す曲線（すなわち稜線）が鎖線で図示されている。複数の溝部６６５は、例えばウェットエッチング等の加工技術により循環液室６５と同工程で形成される。なお、複数の溝部６６５は、第１実施形態から第５実施形態で例示した何れの循環液室６５にも形成され得る。例えば第５実施形態では、循環液室６５のうち第１空間６５１の上面に複数の溝部６６５が形成される。
【００６３】
図１３に例示される通り、第６実施形態では、循環液室６５の上面のうち中心面ＯからみてＸ方向の正側の領域Ｇ1とＸ方向の負側の領域Ｇ2との各々に、Ｙ方向に配列する複数の溝部６６５が形成される。領域Ｇ1は、第１列Ｌ1のノズルＮ（第１ノズルの例示）側の領域であり、領域Ｇ2は、第２列Ｌ2のノズルＮ（第２ノズルの例示）側の領域である。
【００６４】
領域Ｇ1内の複数の溝部６６５の各々は、平面視でＹ方向の正側（第１方向の第１側の例示）に凸の曲線状に形成される。例えば、領域Ｇ1内には、Ｙ方向の正側に凸である円弧状の複数の溝部６６５が形成される。他方、領域Ｇ2内の複数の溝部６６５の各々は、平面視でＹ方向の負側（第１方向の第２側の例示）に凸の曲線状に形成される。例えば、領域Ｇ2内には、Ｙ方向の負側に凸である円弧状の複数の溝部６６５が形成される。
【００６５】
循環液室６５内に流入して当該循環液室６５の上面の近傍に到達したインクは各溝部６６５に沿って移動し易い。すなわち、第６実施形態によれば、循環液室６５内でインクが流動する範囲を調整することが可能である。
【００６６】
例えば、領域Ｇ1内の各溝部６６５はＹ方向の正側に凸である。したがって、第１部分Ｐ1内の連通路６３（すなわちＸ方向の正側）から循環液室６５に流入したインクは、図１３に矢印ａ1で図示される通り、領域Ｇ1内の各溝部６６５に沿ってＹ方向の負側（循環口６５b側）に移動し易い。他方、領域Ｇ2内の各溝部６６５はＹ方向の負側に凸である。したがって、第２部分Ｐ2内の連通路６３（すなわちＸ方向の負側）から循環液室６５に流入したインクは、図１３に矢印ａ2で図示される通り、領域Ｇ2内の各溝部６６５に沿ってＹ方向の正側（循環口６５a側）に移動し易い。以上の説明から理解される通り、第６実施形態によれば、循環液室６５の両端側にインクを流動させ易いという利点がある。
【００６７】
＜第６実施形態の変形例＞
図１４に例示される通り、領域Ｇ1内の溝部６６５と領域Ｇ2内の溝部６６５との双方を、Ｙ方向の正側（第１方向の第１側の例示）に凸の曲線状に形成することも可能である。図１４の構成によれば、図１４に矢印ａ1および矢印ａ2で図示される通り、第１部分Ｐ1の連通路６３から循環液室６５に流入したインクと第２部分Ｐ2の連通路６３から循環液室６５に流入したインクとの双方を、Ｙ方向の負側に流動させ易いという利点がある。なお、以上の構成では、循環液室６５の循環口６５aを省略することも可能である。
【００６８】
また、図１５に例示される通り、Ｙ方向の正側に位置する溝部６６５と負側に位置する溝部６６５とが逆方向に凸である構成も採用され得る。具体的には、循環液室６５のうちＹ方向の正側の領域（例えばＹ方向の正側に位置する半分の領域）内の各溝部６６５は、平面視でＹ方向の負側に凸である。他方、循環液室６５のうちＹ方向の負側の領域（例えばＹ方向の負側に位置する半分の領域）内の各溝部６６５は、平面視でＹ方向の正側に凸である。以上の構成によれば、循環液室６５のうちＹ方向の正側の部分に流入したインクをＹ方向の正側（ひいては循環口６５a）に流動させ易く、循環液室６５のうちＹ方向の負側の部分に流入したインクをＹ方向の負側（ひいては循環口６５b）に流動させ易いという利点がある。
【００６９】
＜第７実施形態＞
図１６は、第７実施形態における液体噴射ヘッド２６の断面図である。図１６に例示される通り、第７実施形態の液体噴射ヘッド２６における第１流路基板３２には、第３実施形態（図９）と同様に、循環液室６５（第１循環液室の例示）のほか、第１部分Ｐ1および第２部分Ｐ2の各々に対応する循環液室６７（第２循環液室の例示）が形成される。循環液室６７は、連通路６３およびノズルＮを挟んで循環液室６５とは反対側に形成されてＹ方向に延在する長尺状の空間である。以上の構成によれば、第３実施形態について前述した通り、循環液室６５のみを形成した構成と比較してインクの循環量を多くすることが可能である。
【００７０】
図１６から理解される通り、循環液室６５は圧力室Ｃに平面視で重ならず、各循環液室６７は圧力室Ｃに平面視で重なる。以上の構成によれば、循環液室６５および循環液室６７の双方が圧力室Ｃに重なる構成と比較して、圧力室Ｃの機械的な強度を維持し易いという利点がある。図１６に例示される通り、循環液室６５の幅（Ｘ方向の寸法）ωaは、各循環液室６７の幅ωbよりも大きい（ωa＞ωb）。
【００７１】
図１６に例示される通り、第７実施形態では、第４実施形態の循環液室６５と同様に、循環液室６５および循環液室６７の双方における高さがＸ方向の位置に応じて相違する。例えば、循環液室６５および循環液室６７の各々の高さは、幅方向の中央部から端部にかけて単調減少する。また、図１６に例示される通り、循環液室６５の高さの最大値Ｈaと循環液室６７の高さの最大値Ｈbとは同等である。したがって、循環液室６５と循環液室６７とで高さを相違させた構成と比較して、循環液室６５および循環液室６７を形成する工程が簡素化されるという利点がある。なお、第１空間６５１と第２空間６５２とで構成された第５実施形態の循環液室６５の形状を、第７実施形態の各循環液室６７に同様に適用することも可能である。
【００７２】
＜第７実施形態の変形例＞
図１７に例示される通り、循環液室６５の高さの最大値Ｈaを、各循環液室６７の高さの最大値Ｈbよりも大きくする（Ｈa＞Ｈb）ことも可能である。図１７の構成によれば、最大値Ｈaと最大値Ｈbとが同等である構成（図１６）と比較して圧力室Ｃと循環液室６７とが離間するから、圧力室Ｃの機械的な強度を維持し易いという利点がある。
【００７３】
図１８に例示される通り、循環液室６５の高さの最大値Ｈaを、各循環液室６７の高さの最大値Ｈbよりも小さくする（Ｈa＜Ｈb）ことも可能である。図１８の構成によれば、最大値Ｈaと最大値Ｈbとが同等である構成（図１６）と比較して、例えば配線基板２８の実装時に第１流路基板３２をＺ方向に押圧する外力に対して流路形成部３０の機械的な強度を維持し易いという利点がある。
【００７４】
図１９に例示される通り、循環液室６５の幅（Ｘ方向の寸法）ωaを、各循環液室６７の幅ωbよりも小さくする（ωa＜ωb）ことも可能である。なお、循環液室６５の幅ωaを循環液室６７の幅ωbよりも大きくした構成（図１６）、および循環液室６５の幅ωaを循環液室６７の幅ωbよりも小さくした構成（図１９）は、循環液室６５および循環液室６７の形状の如何に関わらず採用され得る。
【００７５】
＜第４実施形態から第７実施形態について＞
第４実施形態から第７実施形態について前述の説明で特に言及していない構成は、第１実施形態から第３実施形態の何れかの構成が任意に採用され得る。例えば、循環路７２またはノズルＮに関する第１実施形態から第３実施形態の構成は、第４実施形態から第７実施形態から選択された任意の形態に適用され得る。なお、第１実施形態から第３実施形態では、循環路７２をノズルプレート５２に形成したが、第４実施形態から第７実施形態においては、連通路６３と循環液室６５とを相互に連通させる循環路を第１流路基板３２（例えば表面Ｆb）に形成することも可能である。
【００７６】
第４実施形態から第７実施形態では、循環液室６５の高さをＸ方向の位置に応じて相違させた。以上の構成によれば、循環液室６５の上面がＸ-Ｙ平面に平行である第１実施形態から第３実施形態の構成と比較して、流路形成部３０の機械的な強度の低下を抑制することが可能である。なお、第４実施形態から第７実施形態では、循環液室６５が配線基板２８の端部に平面視で重なる。以上の構成では、配線基板２８の実装時に、第１流路基板３２がＺ方向に押圧される。流路形成部３０の機械的な強度を確保できる第４実施形態から第７実施形態の構成は、配線基板２８の実装時の押圧に起因した第１流路基板３２の破損等を防止する観点からも特に有効である。なお、循環液室６５が角部を有する構成では、インクに混入した気泡が当該角部に停留し易い。第４実施形態のように循環液室６５の上面が曲面状である構成によれば、気泡の停留が抑制されるから、インクに混入した気泡を効果的に排出することが可能である。
【００７７】
＜変形例＞
以上に例示した各形態は多様に変形され得る。前述の各形態に適用され得る具体的な変形の態様を以下に例示する。以下の例示から任意に選択された２以上の態様は、相互に矛盾しない範囲で適宜に併合され得る。
【００７８】
（１）前述の各形態では、循環路７２とノズルＮの第２区間ｎ2とで深さが同等である構成を例示したが、循環路７２の深さと第２区間ｎ2の深さとの関係は以上の例示に限定されない。例えば、図２０の例示の通り第２区間ｎ2よりも深い循環路７２を形成した構成や、図２１の例示の通り第２区間ｎ2よりも浅い循環路７２を形成した構成も採用され得る。図２０の構成によれば、図２１の構成と比較して循環路７２の流路抵抗が小さいから、図２１の構成と比較して循環量を多くすることが可能である。他方、図２１の構成によれば、図２０の構成と比較して循環路７２の流路抵抗が大きいから、図２０の構成と比較して噴射量を多くすることが可能である。
【００７９】
（２）前述の各形態では、循環路７２の深さＤaが一定である構成を例示したが、循環路７２の深さをＸ方向の位置に応じて変化させることも可能である。例えば、図２２に例示される通り、循環路７２のうちの中間部分（例えば平面視で隔壁部６９に重なる部分）が、当該中間部分からみて循環液室６５側の部分およびノズルＮ側の部分よりも深い構成が想定される。図２２の構成によれば、循環路７２の深さＤaが全長にわたり一定である構成と比較して循環路７２の流路抵抗が小さい。したがって、循環量の確保が容易であるという利点がある。
【００８０】
（３）前述の各形態では、循環路７２の流路幅ＷaがノズルＮの最大径（第２区間ｎ2の内径ｄ2）と同等である構成を例示したが、流路幅Ｗaは以上の例示に限定されない。例えば、循環路７２の流路幅ＷaがノズルＮの最大径（例えば第２区間ｎ2の内径ｄ2）よりも小さい構成も採用され得る。以上の構成によれば、循環路７２がノズルＮの最大径よりも大きい構成と比較して循環路７２の流路抵抗が大きい。したがって、噴射量を多くすることが可能である。また、循環路７２の流路幅Ｗaが第１区間ｎ1の内径ｄ1よりも大きい構成も採用され得る。以上の構成によれば、循環量の確保と噴射量の確保との両立が可能である。
【００８１】
（４）前述の各形態では、循環路７２の流路幅Ｗaが一定である構成を形成したが、循環路７２の流路幅をＸ方向の位置に応じて変化させることも可能である。例えば、図２３に例示される通り、循環路７２のうち循環液室６５側の部分の流路幅がノズルＮ側の流路幅よりも広い構成が採用され得る。具体的には、循環路７２の流路幅が、ノズル側の端部から循環液室６５側の端部にかけて単調に増加する平面形状となるように循環路７２が形成される。図２３の構成によれば、連通路６３から循環液室６５に向けてインクが循環路７２を流れ易い。したがって、循環量の確保が容易であるという利点がある。
【００８２】
また、図２４に例示される通り、循環路７２のうち中間部分（例えば平面視で隔壁部６９に重なる部分）の流路幅が、中間部分からみて循環液室６５側の部分の流路幅およびノズルＮ側の部分の流路幅よりも狭い構成も採用され得る。すなわち、循環路７２の途中の部分（例えば平面視で隔壁部６９に重なる部分）において流路幅が最小となるように、循環路７２の両端部から中間部分にかけて流路幅が単調に減少する。図２４の構成によれば、循環路７２の流路幅が一定である構成と比較して循環路７２の流路抵抗が大きい。したがって、噴射量を多くすることが可能である。
【００８３】
図２５に例示される通り、循環路７２のうち中間部分（例えば平面視で隔壁部６９に重なる部分）の流路幅が、中間部分からみて循環液室６５側の部分の流路幅およびノズルＮ側の部分の流路幅よりも広い構成も採用され得る。すなわち、循環路７２の途中の部分（例えば平面視で隔壁部６９に重なる部分）において流路幅が最大となるように、循環路７２の両端部から中間部分にかけて流路幅が単調に増加する。図２５の構成によれば、循環路７２の流路幅が一定である構成と比較して循環路７２の流路抵抗が小さい。したがって、循環量を多くすることが可能である。
【００８４】
なお、第１流路基板３２の隔壁部６９の機械的な強度を確保するためには隔壁部６９を厚く形成する必要がある。しかし、隔壁部６９が厚い（流路長Ｌcが大きい）ほど循環路７２の流路抵抗が増大する。図２５の構成によれば、充分な強度が実現される程度に隔壁部６９の厚さを確保した場合でも、循環路７２の中間部分を広くすることで循環路７２の流路抵抗を低減できるという利点がある。すなわち、隔壁部６９の強度の確保と循環路７２の流路抵抗の低減とを両立することが可能である。
【００８５】
（５）前述の各形態では、ノズルＮの中心軸Ｑaが連通路６３の中心軸Ｑbからみて循環液室６５とは反対側に位置する構成を例示したが、ノズルＮの中心軸Ｑaと連通路６３の中心軸Ｑbとの関係は以上の例示に限定されない。例えば、図２６に例示される通り、ノズルＮの中心軸Ｑaと連通路６３の中心軸Ｑbとを同じ位置とすることも可能である。図２６の構成によれば、中心軸Ｑaと中心軸Ｑbとが相異なる位置にある構成と比較して、噴射量の確保と循環量の確保とを両立し易いという利点がある。
【００８６】
また、図２７に例示される通り、ノズルＮの中心軸Ｑaが連通路６３の中心軸Ｑbからみて循環液室６５側（中心面Ｏ側）に位置する構成も採用され得る。図２７の構成によれば、ノズルＮの中心軸Ｑaが連通路６３の中心軸Ｑbからみて循環液室６５とは反対側に位置する構成（例えば第１実施形態）と比較して、循環量を増加させるとともに噴射量を低減することが可能である。他方、前述の各形態のようにノズルＮの中心軸Ｑaが連通路６３の中心軸Ｑbからみて循環液室６５とは反対側に位置する構成によれば、図２７の構成と比較して、循環量を低減するとともに噴射量を増加させることが可能である。
【００８７】
（６）第４実施形態から第７実施形態では、循環液室６５または循環液室６７の上面が曲面である構成を例示したが、循環液室６５または循環液室６７の高さを位置に応じて相違させるための形状は以上の例示に限定されない。例えば、例えば、図２８に例示される通り、循環液室６５の上面を、Ｘ-Ｙ平面に平行な表面とＸ-Ｙ平面に対して傾斜した形状の表面とを組合せた形状に形成することも可能である。具体的には、循環液室６５の上面を構成する傾斜面は、循環液室６５の流路幅（Ｘ方向の寸法）がＺ方向の正側の位置ほど増加するように、Ｘ-Ｙ平面に対して傾斜する。なお、以上の説明では循環液室６５に着目したが、循環液室６７についても同様の形状が採用され得る。
【００８８】
（７）図２９に例示される通り、圧力室Ｃのうち連通路６３側（中心面Ｏ側）の端面を、圧力室Ｃの上面（振動部４２の下面）に対して傾斜した傾斜面３４２とした構成も好適である。図２９から理解される通り、振動部４２のうち第２流路基板３４から露出した領域（傾斜面３４２で覆われていない領域）３４４は、平面視で循環路７２と重ならない。図２９の領域３４４は、圧力室Ｃの上面（天井面）を構成する。
【００８９】
（８）前述の各形態では、第１列Ｌ1に関連する要素と第２列Ｌ2に関連する要素とが中心面Ｏを挟んで面対称に配置された構成を例示したが、面対称の構成は必須ではない。例えば、第１列Ｌ1のみに対応する要素を前述の各形態と同様に配置した構成も採用され得る。また、前述の各形態では循環路７２をノズルプレート５２に形成した構成を例示したが、各連通路６３を循環液室６５に連通させる流路を流路形成部３０（例えば第１流路基板３２の表面Ｆb）に形成することも可能である。
【００９０】
（９）圧力室Ｃの内部に圧力を付与する要素（圧力発生部）は、前述の各形態で例示した圧電素子４４に限定されない。例えば、加熱により圧力室Ｃの内部に気泡を発生させて圧力を変動させる発熱素子を圧力発生部として利用することも可能である。発熱素子は、駆動信号の供給により発熱体が発熱する部分（具体的には圧力室Ｃ内に気泡を発生させる領域）である。以上の例示から理解される通り、圧力発生部は、圧力室Ｃ内の液体をノズルＮから噴射させる要素（典型的には圧力室Ｃの内部に圧力を付与する要素）として包括的に表現され、動作方式（圧電方式／熱方式）や具体的な構成の如何は不問である。
【００９１】
（１０）前述の各形態では、液体噴射ヘッド２６を搭載した搬送体２４２を往復させるシリアル方式の液体噴射装置１００を例示したが、複数のノズルＮが媒体１２の全幅にわたり分布するライン方式の液体噴射装置にも本発明を適用することが可能である。
【００９２】
（１１）前述の各形態で例示した液体噴射装置１００は、印刷に専用される機器のほか、ファクシミリ装置やコピー機等の各種の機器に採用され得る。もっとも、本発明の液体噴射装置の用途は印刷に限定されない。例えば、色材の溶液を噴射する液体噴射装置は、液晶表示装置のカラーフィルターを形成する製造装置として利用される。また、導電材料の溶液を噴射する液体噴射装置は、配線基板の配線や電極を形成する製造装置として利用される。
【符号の説明】
【００９３】
１００…液体噴射装置、１２…媒体、１４…液体容器、２０…制御ユニット、２２…搬送機構、２４…移動機構、２４２…搬送体、２４４…搬送ベルト、２６…液体噴射ヘッド、２８…配線基板、３０…流路形成部、３２…第１流路基板、３４…第２流路基板、４２…振動部、４４…圧電素子、４６…保護部材、４８…筐体部、４８２…導入口、５２…ノズルプレート、５４…吸振体、６１…供給路、６３…連通路、６５…循環液室、６５a，６５b…循環口、６５１…第１空間、６５２…第２空間、６６５…溝部、６７…循環液室、６９…隔壁部、６９２…流路壁、ｎ1…第１区間、ｎ2…第２区間、７２…循環路、７５…循環機構。
【図１】
2018103601.tif 000003
【図２】
2018103601.tif 000004
【図３】
2018103601.tif 000005
【図４】
2018103601.tif 000006
【図５】
2018103601.tif 000007
【図６】
2018103601.tif 000008
【図７】
2018103601.tif 000009
【図８】
2018103601.tif 000010
【図９】
2018103601.tif 000011
【図１０】
2018103601.tif 000012
【図１１】
2018103601.tif 000013
【図１２】
2018103601.tif 000014
【図１３】
2018103601.tif 000015
【図１４】
2018103601.tif 000016
【図１５】
2018103601.tif 000017
【図１６】
2018103601.tif 000018
【図１７】
2018103601.tif 000019
【図１８】
2018103601.tif 000020
【図１９】
2018103601.tif 000021
【図２０】
2018103601.tif 000022
【図２１】
2018103601.tif 000023
【図２２】
2018103601.tif 000024
【図２３】
2018103601.tif 000025
【図２４】
2018103601.tif 000026
【図２５】
2018103601.tif 000027
【図２６】
2018103601.tif 000028
【図２７】
2018103601.tif 000029
【図２８】
2018103601.tif 000030
【図２９】
2018103601.tif 000031